(57)【要約】【課題】振動伝達効率がよくかつ放熱性も良好で、シート埋め込みスピーカとするに好適な振動伝達型スピーカシステムを提供する。【解決手段】シート埋め込み用スピーカであって、基部をフレームの後方に配した円錐状振動板の中央前部に、ボイスコイルとマグネットを含む磁気回路部を配置し、前記フレームの前端部に、円錐状振動板に対峙する面に多数のフィンと通孔を有し中央部分が前記磁気回路部に連結した熱伝導性と振動伝達性のよい材質からなる放熱・振動伝達カバーを設けた。【選択図】図２
2006101266.tif 000002
【特許請求の範囲】
【請求項１】
基部をフレームの後方に配した円錐状振動板の中央前部に、ボイスコイルとマグネットを含む磁気回路部を配置した形式のシート埋め込み用スピーカであって、前記フレームの前端部に、円錐状振動板に対峙する面に多数のフィンと通孔を有し中央部分が前記磁気回路部に連結した熱伝導性と振動伝達性のよい材質からなる放熱・振動伝達カバーを設けたことを特徴とする振動伝達型スピーカシステム。
【請求項２】
放熱・振動伝達カバーがアルミ系金属からなることを特徴とする請求項１に記載の振動伝達型スピーカシステム。
【請求項３】
埋め込み対象のシートが、連続線状体を絡ませて無数のループを形成し、接触する部分を融着した網状構造のクッションを有していることを特徴とする請求項1に記載の振動伝達型スピーカシステム。
【発明の詳細な説明】
【技術分野】
【０００１】
本発明はシート埋め込みに好適な振動伝達型スピーカシステムに関する。
【背景技術】
【０００２】
車室内での快適な音響環境を得るために、車輌のシート内にスピーカを埋め込むことは従来公知であるが、従来のシート埋め込みタイプのスピーカは、スピーカにより音のみを暴露する形式と、アクチュエーター等により振動のみを暴露する形式が一般的であった。
【０００３】
前者の例としては、発泡材製のクッション中に凹窪部を形成し、この凹窪部にスピーカを配置させ、凹窪部前面側に音の透過性のよい表皮材を張設したものであった。
【０００４】
しかし、このスピーカ埋め込み構造では、音を外部に放射できるにとどまり、振動として体に直接伝えることが困難である点、凹窪部が背当て面に開口し、それを表皮材で覆っているだけであるため、この部分に手を突いたりしたときに、表皮材を突き破って腕がスピーカを破損させる点に問題があった。
【０００５】
後者の構造では、振動と音を効率よくシート表皮へ伝達することが困難であり、また、シート内部にスピーカ等の振動体が装着されているため、熱をうまく逃がすことが困難であった。
【特許文献１】実開平６−８６６１２号公報
【特許文献２】特開平６−９８３８４号公報
【発明の開示】
【発明が解決しようとする課題】
【０００６】
本発明は前記のような問題点を解消するためになされたもので、その目的とするところは、振動伝達効率がよくかつ放熱性も良好で、シート埋め込みスピーカとするに好適な振動伝達型スピーカシステムを提供することにある。
【課題を解決するための手段】
【０００７】
上記目的を達成するため本発明は、基部をフレームの後方に配した円錐状振動板の中央前部に、ボイスコイルとマグネットを含む磁気回路部を配置した形式のシート埋め込み用スピーカであって、前記フレームの前端部に、円錐状振動板に対峙する面に多数のフィンと通孔を有し中央部分が前記磁気回路部に連結した熱伝導性と振動伝達性のよい材質からなる放熱・振動伝達カバーを設けたことを特徴としている。
【発明の効果】
【０００８】
磁気回路部からの熱が熱伝導性と振動伝達性のよい材質からなる放熱・振動伝達カバーを通して放熱され、同時に入力の大きさに比例して大きくなる円錐状振動板（コーン紙）の振幅により、フィン間の孔を通して空気が流動するので、効果的な放熱を実現することができる。
また、放熱・振動伝達カバーは振動の伝達性が良いため、シートクッション内層面に接して放熱・振動伝達カバーを埋め込むことでシートクッションに円錐状振動板の反力により発生する振動を効率的に伝えることができ、これによりシートに接する体に骨導音として直接効果的に振動を感じさせることができる。
また、円錐状振動板を放熱・振動伝達用カバーが覆っているため、シートクッションの内層に突起が散在していても、円錐状振動板を構成している強度の弱い紙が保護され、破損を防止することができる。
【発明を実施するための最良の形態】
【０００９】
好適には、放熱・振動伝達カバーがアルミ系金属からなる。
これによれば、熱伝導性と振動伝達性がよく、また軽量であるためシートへの埋め込みが容易であり、また価格も安価にすることができる。
また、対象のシートとしては、連続線状体を絡ませて無数のループを形成し接触する部分を融着した網状構造のクッションを有しているものが好適である。
これによれば、クッションが内部に多量の空気層を有し、外部に通じているため、本発明によるスピーカとの相乗効果で放熱と振動伝達を効果的に行える。
【実施例１】
【００１０】
以下添付図面を参照して本発明の実施例を説明する。
図１と図２は本発明による振動伝達型スピーカシステムの一実施例を示しており、１は皿状の底部１ａとテーパー状に拡径した側壁部１ｂとこれの前端からＬ状に屈曲したフランジ部1ｃとを有するフレームである。
２は紙などからなる円錐状振動板であり、基部外周のダンパー３が前記フレーム１の底部１ａ近傍に位置するように内装されており、前端のリング状部２ａがフランジ部1ｃの内径部位に固定されている。
【００１１】
４は磁気回路部であり、円錐状振動板１の中心部に基部が取り付けられ、円錐状振動板１の前方に延出し、延出部外周にボイスコイル６を巻装したボビン５と、ボビン５の前端内径部位に嵌着されたプレート７と、プレートに支持されたマグネット８と、円筒状をなし後端内径を前記ボイスコイル６に密着させたヨーク９とを有している。
前記ヨーク９は前端側中央部に後方に向かって適度に延びる有底内筒部９ａを有しており、該内筒部９ａの底壁をもってマグネット８をプレート７に押し付けている。
【００１２】
１０は本発明で特徴とする放熱・振動伝達カバーである。この放熱・振動伝達カバー１０は、熱伝導性が高く、振動伝達性がよく振動の減衰が少なく、かつ機械的強度が十分にある金属、通常、アルミニウムやその合金をダイキャストしたものからなっている。
放熱・振動伝達カバー１０は、比較的高さの短い側壁部１０ａと、これの先端に形成された比較的厚肉の面板部１０ｂを有し、面番部１０ｂの中央後面には前記ヨーク９の内筒部９ａに内嵌するボス１０ｃが突設されており、ボス１０ｃには通孔１００が設けられていて、ここにねじ部材１１を通し、前記ヨーク９の内筒部９ａに螺合することで磁気回路部４をフロント側からブリッジ形式で保持するようになっている。
【００１３】
前記放熱・振動伝達カバー１０の円錐状振動板１に臨む面板部１０ｂには、放射状のフィン１０２で区画された多数の通孔１０１が肉厚を貫通して設けられており、ヨーク９の頂面に臨む中央部にもフィン１０２´で区画された複数の通孔１０１´が配されている。
【００１４】
図３と図４は本発明によるスピーカの使用例を示している。
１１はシート（シートバック）であり、クッション１２内に空室１３が設けられ、ここに本発明によるスピーカＳが埋め込まれている。クッション１２は音や空気が内部から外部に透過可能な特性を有するオープンポア型構造のものが選ばれる。
そうしたクッション１２の例としては、図４のように、断面が中空状あるいは中実の熱可塑性合成樹脂からなる連続線状体１２０をランダムに絡ませて無数のループ１２１を形成し、隣接する連続線状体１２０の接触しあう部分を融着し、３次元方向に多数の空隙１２２を散在させた網状構造クッションがあげられる。このクッションは表面層の嵩密度が高くなっていてもよい。
【００１５】
前記スピーカＳは空室１３に内装され、放熱・振動伝達カバー１０が空室１３の前壁を構成する部分１２ａに接するように固定される。
この固定法は任意であり、ねじ類を使用し、クッション１２を貫通させてフレーム１のフランジ部1ｃに螺合させてもよいし、放熱・振動伝達カバー１０のフィン１０２よりも外周のリング状面１０４をクッション１２の前壁を構成する部分１２ａに接着してもよいし、空室１３の背壁を構成する部分１２ｂで背方から押圧してもよい。背壁を構成する部分１２ｂは硬質のボードであってもよい。
【００１６】
このようにシートに埋め込んだ状態で磁気回路部４を駆動すれば、円錐状振動板１が振動し、音波が放熱・振動伝達カバー１０のフィン１０２間の通孔１０１を通してクッション１２に放射される。クッション１２がオープンポア型の網状構造であることから、音響出力は共振により歪のないクリヤーな特性をもって空室１３の前壁を構成している層１２ａを通してシート外に放射される。
【００１７】
また、磁気回路部４のヨーク９に放熱・振動伝達カバー１０のボス１０ｃが連結されているので、円錐状振動板１の反力による振動が、広い面積を持ちかつ振動伝達性がよい材質の放熱・振動伝達カバー１０の各フィン１０２やリング状面１０４を通して網状構造のクッション１２に直接伝達される。これにより空室１３の前壁を中心としてクッション自体が共振するので、シート表面に接している体に音響振動が効果的に伝達され、ダイナミックな骨導音として体感することができる。
【００１８】
また、ヨーク９に放熱・振動伝達カバー１０のボス１０ｃが連結されているので、磁気回路部４の熱Ｈは、図２の矢印のように、熱伝導性のよい放熱・振動伝達カバー１０の各フィン１０２やリング状面１０４に伝達される。各フィン１０２やリング状面１０４に接しているクッション１２が３次元方向に多数の空隙１２２を散在させた網状構造であるので、効率よく拡散して放熱される。
しかも、円錐状振動板１の振動振幅で各フィン１０２間の通孔１０１を通して空気が波動し、前記振幅による空気の流動は円錐状振動板１への入力と比例して大きくなるので、発生熱Ｈは効果的にクッション１２の３次元的空隙１２２に送り込まれる。したがって、埋め込み式でありながら、冷却効果のよいスピーカシステムとすることができる。
【００１９】
また、網状構造のクッション１２である場合、連続線状体１２０をランダムに絡みませて無数のループ１２１を形成しているので、それらループ１２１や線状体の端部が空室１３の前壁に突起として存在するが、放熱・振動伝達カバー１０が強度の弱い円錐状振動板１を覆っているので、前記突起によって円錐状振動板１が損傷を受けることが防止される。
【図面の簡単な説明】
【００２０】
【図１】本発明による振動伝達型スピーカシステムの一例を示す正面図である。
【図２】図１のＸ−X線に沿う断面図である。
【図３】本発明の使用状態を示す部分切欠側面図である。
【図４】図３の部分拡大断面図である。
【符号の説明】
【００２１】
１  フレーム
２  円錐状振動板
４  磁気回路部
６  ボイスコイル
８  マグネット
９  ヨーク
１０  放熱・振動伝達カバー
１２  クッション
１０２  フィン
１０４  通孔
【図１】
2006101266.tif 000003
【図２】
2006101266.tif 000004
【図３】
2006101266.tif 000005
【図４】
2006101266.tif 000006